(57)【要約】【課題】検査対象の端子を容易に特定することができる中間配線盤の接続用端子板の端子位置特定装置を提供する。【解決手段】端子位置特定装置１０は、本配線盤とアウトレットとの間に設けられる中間配線盤に設置され、矩形状の基板と、マトリックスに配置されている複数の端子８１５とを有する接続用端子板８００に組み付けられた状態で使用される。端子位置特定装置１０は、基板８１０の近傍に取り外し可能に組み付けられるベース部２０と、マトリックスの一辺に平行の水平方向Ｘに伸びるアーム部３０と、アーム部３０に案内され端子８１５のうち１以上の特定の端子８１５を隠す可動部４０とを備える。アーム部３０は、端子８１５の上方を移動するようにベース部２０に支持されている。【選択図】図１
2008028457.tif 000002
【特許請求の範囲】
【請求項１】
本配線盤とアウトレットとの間に設けられる中間配線盤に設置され、矩形状の基板と、マトリックスに配置されている複数の端子とを有する接続用端子板の端子位置特定装置であって、
前記基板又は該基板の近傍に取り外し可能に組み付けられるベース部と、
前記マトリックスの一辺に平行の第１方向に伸びるアーム部であって前記端子の上方を移動するように前記ベース部に支持されているアーム部と、
前記アーム部に案内され前記端子のうち１以上の特定の端子を隠す可動部とを備える端子位置特定装置。
【請求項２】
前記可動部は前記第１方向に伸縮可能な伸縮部を有する、請求項１に記載の端子位置特定装置。
【請求項３】
前記可動部は矩形状を有し、前記アーム部は前記可動部を前記第１方向に摺動可能に摺動させる溝を有する請求項２に記載の端子位置特定装置。
【請求項４】
前記アーム部は前記第１方向に所定の間隔を置いて形成された複数の係止受部を有し、
前記伸縮部は蛇腹状を有し、
前記可動部は前記係止受部の少なくともいずれかに取り付け可能な係止部を有する請求項２に記載の端子位置特定装置。
【請求項５】
前記アーム部には、前記第１方向において、前記複数の端子のうち一の端子とこれに隣接する端子との間の距離と等しい間隔で、目盛り及び番号の少なくとも一方が形成されている、請求項１から４のいずれかに記載の端子位置特定装置。
【請求項６】
前記ベース部は、前記第１方向に直角の第２方向に伸びるベース位置決め部を有し、
前記アーム部は、前記ベース位置決め部に直角に交差するように、前記ベース部に支持され、
前記ベース位置決め部には、前記第２方向において、前記複数の端子のうち一の端子とこれに隣接する端子との間の距離と等しい間隔で、目盛り及び番号の少なくとも一方が形成されている、請求項１から５のいずれかに記載の端子位置特定装置。
【発明の詳細な説明】
【技術分野】
【０００１】
本発明は、中間配線盤に設けられる接続用端子板の端子位置特定装置に関する。
【背景技術】
【０００２】
図８に示すように、中間配線盤７１０（ＩＤＦ：Ｉｎｔｅｒｍｅｄｉａｔｅ  Ｄｉｓｔｒｉｂｕｔｉｏｎ  Ｆｒａｍｅ）は、集合住宅・オフィスビル等で各階等の単位毎に設置される、個宅のアウトレット（例えば、電話機７２０）と伝送装置７００のような主配線盤との間を中継する。中間配線盤７１０には、複数の接続用端子板８００が配置されている（例えば、特許文献１参照）。
【０００３】
各接続用端子板８００は、矩形状の基板８１０と、マトリックスに配置されている複数の端子８１５とを有する。複数の電話機７２０から伸びる多芯ケーブル７２１は、マトリックスに配置されている複数の端子８１５のうち横方向に連続して並んでいる複数の端子８１５に１対１に電気的に接続される。同様に、主配線盤から伸びる多芯ケーブル７０１も横方向に連続して並んでいる複数の端子８１５に１対１に電気的に接続される。
【０００４】
接続用端子板８００の配線接続の検査は、検査装置９００の接触部を特定の端子８１５に電気的に接続させて行われる。このとき、端子８１５の特定は、マトリックスの周囲に形成された横方向に記載された数字ラベルの記号８２０及び縦方向に記載されたアルファベットラベルの記号８３０からなるインデックスを頼って行われる。
【０００５】
しかし、図９に示すように、互いに隣接する２つの端子８１５の間の距離Ｌが、例えば、８ｍｍから９ｍｍと狭いので、検査員は、検査対象となる端子８１５ａの位置がインデックスから離れるにつれて特定しにくい。検査員は、具体的には、符号ａを付した端子８１５の位置が「１４Ｊ」であることは、容易に判断できない。
【０００６】
そこで、検査員は、予め、検査対象の端子８１５ａが明確になるように、例えば、検査対象の端子８１５ａの横方向に隣接する端子８１５ｂ及びこれに隣接する端子８１５の先端を粘着性及び絶縁性を有するビニールテープ７５０で覆う。
【０００７】
しかし、検査対象の端子８１５ａに隣接する端子８１５ｂもインデックスから離れるにつれて特定しにくい。
【０００８】
また、端子８１５の先端とビニールテープ７５０とが接触している面積は、非常に小さいので、検査を行っている最中に、ビニールテープ７５０が端子８１５の先端から剥がれてしまうことがある。
【特許文献１】特開平６−１２１３４８号公報
【発明の開示】
【発明が解決しようとする課題】
【０００９】
本発明は、検査対象の端子を容易に特定することができる中間配線盤の接続用端子板の端子位置特定装置を提供することを目的とする。
【課題を解決するための手段】
【００１０】
本発明者らは、以下に示す本発明を完成するに至った。
【００１１】
（１）  本配線盤とアウトレットとの間に設けられる中間配線盤に設置され、矩形状の基板と、マトリックスに配置されている複数の端子とを有する接続用端子板の端子位置特定装置であって、前記基板又は該基板の近傍に取り外し可能に組み付けられるベース部と、前記マトリックスの一辺に平行の第１方向に伸びるアーム部であって前記端子の上方を移動するように前記ベース部に支持されているアーム部と、前記アーム部に案内され前記端子のうち１以上の特定の端子を隠す可動部とを備える端子位置特定装置。
【００１２】
（１）に記載の端子位置特定装置によれば、複数の端子のうち１以上の特定の端子を隠す可動部が、マトリックスの一辺に平行の第１方向に伸び、複数の端子の上方を移動するアーム部に配置されるので、マトリックスに配置されている複数の端子のうち第１方向に整列している複数の端子列を容易に特定することができる。そして、可動部を検査対象の端子に隣接する端子が隠れる位置に移動させることにより、検査対象の端子のみを検査することができる。
【００１３】
（２）  前記可動部は前記第１方向に伸縮可能な伸縮部を有する、（１）に記載の端子位置特定装置。
【００１４】
（２）に記載の端子位置特定装置によれば、可動部は、検査対象の端子に隣接する端子及びこれに隣接しかつ検査対象ではない端子を覆うことができるので、検査対象が２つ以上の端子である場合、その２つの端子の間を可動部で覆うことができる。
【００１５】
（３）  前記可動部は矩形状を有し、前記アーム部は前記可動部を前記第１方向に摺動可能に摺動させる溝を有する（２）に記載の端子位置特定装置。
【００１６】
（３）に記載の端子位置特定装置によれば、可動部はアーム部に形成された溝に沿って摺動するので、検査員は、可動部を第１方向に移動させるだけで所定の端子を覆うことができる。
【００１７】
（４）  前記アーム部は前記第１方向に所定の間隔を置いて形成された複数の係止受部を有し、前記伸縮部は蛇腹状を有し、前記可動部は前記係止受部の少なくともいずれかに取り付け可能な係止部を有する（２）に記載の端子位置特定装置。
【００１８】
（４）に記載の発明によれば、伸縮部は蛇腹状を有しているので、第１方向における伸縮部の長さを自由に変更させることができる。
【００１９】
（５）  前記アーム部には、前記第１方向において、前記複数の端子のうち一の端子とこれに隣接する端子との間の距離と等しい間隔で、目盛り及び番号の少なくとも一方が形成されている、（１）から（４）のいずれかに記載の端子位置特定装置。
【００２０】
（５）に記載の発明によれば、アーム部に目盛りが付してあるので、作業者は、基板の目盛りとアーム部の目盛りとを用いて端子を特定することができ、端子の特定の作業性を向上させることができる。
【００２１】
（６）  前記ベース部は、前記第１方向に直角の第２方向に伸びるベース位置決め部を有し、前記アーム部は、前記ベース位置決め部に直角に交差するように、前記ベース部に支持され、前記ベース位置決め部には、前記第２方向において、前記複数の端子のうち一の端子とこれに隣接する端子との間の距離と等しい間隔で、目盛り及び番号の少なくとも一方が形成されている、（１）から（５）のいずれかに記載の端子位置特定装置。
【００２２】
（６）に記載の発明によれば、アーム部とベース位置決め部とが交差している箇所に目盛り及び番号の少なくとも一方が形成されているので、第２方向におけるアーム部の位置を容易に把握することができる。
【発明の効果】
【００２３】
本発明によれば、複数の端子のうち１以上の特定の端子を隠す可動部が、マトリックスの一辺に平行の第１方向に伸び、複数の端子の上方を移動するアーム部に配置されるので、検査対象の端子を容易に特定することができる。
【発明を実施するための最良の形態】
【００２４】
本発明に係る実施形態について、添付した図面を参照しながら説明をする。
【００２５】
図１から図３を参照するに、端子位置特定装置１０は、矩形状の基板８１０とマトリックスに配置されている複数の端子８１５とを有する接続用端子板８００に取り外し可能に組み付けられている。
【００２６】
端子位置特定装置１０は、ベース部２０と、アーム部３０と、複数の端子８１５のうち１以上の特定の端子８１５ｂを隠す可動部４０とを備える。
【００２７】
ベース部２０は、基板８１０の周囲の近傍にある中間配線盤のフレーム７１０ａに取り外し可能に組み付けられる一対のベース位置決め部２１、２１を有する。一対のベース位置決め部２１、２１は、水平方向Ｘに直角の垂直方向Ｙに伸びる直方体状に形成され、基板８１０の両側に配置されている。本実施例では、ベース部２０は、一対のベース位置決め部２１、２１を有するとしたが、片方のベース位置決め部２１だけを有するようにしてもよい。また、端子位置特定装置１０において、水平方向及び垂直方法は、それぞれ、第１方向及び第２方向に相当する。
【００２８】
ベース位置決め部２１のフレーム７１０ａの側には、フレーム７１０ａにくっつくことができる永久磁石２３を有する。ベース位置決め部２１は、基板８１０に対して後述するように所定の位置関係を維持するようにフレーム７１０ａに取り付けられる。
【００２９】
ベース部２０は、端子８１５の上方を移動可能にアーム部３０を支持する支持部２２を有する。支持部２２には、アーム部３０の一端が差し込まれるスリット２４が形成されている。アーム部３０は、アーム部３０と端子８１５の先端との間に僅かな隙間を形成しながらアーム部３０が垂直方向Ｙに平行移動するように、スリット２４に差し込まれている。換言すると、アーム部３０は、垂直方向Ｙにスライド可能に、かつ、ベース位置決め部２１に直角に交差するように、ベース部２０に保持されている。
【００３０】
ベース部２０の表面２０ａには、垂直方向Ｙに隣接する２つの端子８１５の間の距離Ｍと等しい間隔で、アルファベットラベルの記号２５が付されている。これにより、検査員は、基板８１０に対して直角の方向Ｚ（図２参照）に見ることにより、アーム部３０が位置している端子８１５に対する記号２５及び記号８３０を把握することができる。
【００３１】
なお、ベース部２０の表面２０ａに、目盛りの換わりに番号を付してもよいし、目盛りと番号を付してもよい。これにより、アーム部３０が基板８１０に対してどの位置にあるかが容易に把握することができる。
【００３２】
図３に示すように、アーム部３０は、マトリックスの一辺に平行の水平方向Ｘに伸びる。端子位置特定装置１０は、さらに、アーム部３０に案内され、かつ、複数の端子８１５のうち１以上の特定の端子８１５ｂを隠す可動部４０を備える。
【００３３】
アーム部３０の端子８１５が配置されている側の側面３０ｂには、ゴムのような絶縁体３７が付されている。これにより、アーム部３０が端子８１５の先端に近づいても、アーム部３０と端子８１５の先端との間には、絶縁体３７が配置されているので、端子８１５とアーム部３０とが電気的に接続することを防止する。アーム部３０の側面３０ａには、端子間の距離Ｌと同じ間隔で連続した複数の記号３１が付されている。
【００３４】
可動部４０は、３つの可動片４１、４２、４３を含む。アーム部３０は、可動片４１、４２、４３が水平方向Ｘに摺動することを許容する溝Ａ、Ｂ、Ｃを有する。溝Ａ、Ｂ、Ｃは、端子８１５が伸びる方向Ｚに整列するように、互いに水平方向Ｘに平行に伸びている。
【００３５】
可動片４１、４２、４３は、矩形の板状部材である。可動片４１、４２、４３の水平方向Ｘの長さは、隣接する端子間の距離Ｌの整数倍の長さと同じ長さを有する。具体的には、可動片４１は、端子間の距離Ｌの３倍の長さと同じ長さを有する（図１参照）。可動片４２は、端子間の距離Ｌの１倍の長さすなわち端子間の距離Ｌと同じ長さを有する。可動片４３は、端子間の距離Ｌの２倍の長さと同じ長さを有する。可動片４１、４２、４３は、いずれも、公知の伸縮機構を備えるようにしてもよい。この場合、可動片４１、４２、４３ひいては可動部４０は伸縮式可動部として機能する。
【００３６】
以上の端子位置特定装置１０は、以下のようにして用いられる。
【００３７】
図１に示すように、検査員は、一対のベース位置決め部２１、２１が基板８１０の両側に位置するように、かつ、ベース位置決め部２１に形成されたアルファベットの記号２５と基板８１０に形成されているアルファベットラベルの記号８３０とが一致するようにフレーム７１０ａに、取り外し可能に取り付ける。これにより、アーム部３０は、基板８１０の上方に、換言すると、基板８１０を跨ぐように、位置する。
【００３８】
次に、検査員は、アーム部３０が目的の端子を示すアルファベットラベルの記号８３０の位置になるように、アーム部３０をスリット２４に沿って垂直方向Ｙに平行移動させる。
【００３９】
次に、検査員は、アーム部３０の側面３０ａに形成された数字ラベルの記号３１を見ながら、可動片４１、４２、４３が隠したい端子８１５の上方に位置するように、アーム部３０の溝Ａ、Ｂ、Ｃに沿って可動片４１、４２、４３を摺動させる。
【００４０】
これにより、検査員は、アーム部３０が基板８１０を跨ぐように基板８１０の上方に位置しているので、基板８１０の中央付近の端子８１５の位置も正確に特定することができる。
【００４１】
また、測定すべき複数の端子８１５ａが水平方向Ｘに１以上の端子を間において配列している場合、検査員は、これらの端子８１５ａの間に可動片４２を配置させることにより、誤って検査対象ではない端子８１５ｂを測定することを防止することができる。
【００４２】
端子位置特定装置１０は、ベース部２０に永久磁石２３を備えるとしたが、永久磁石２３の替わりに、図４に示す端子位置特定装置１０Ａのように、基板８１０に組み付けられるフック２６を備えたベース部２０Ａを有するようにしてもよい。
【００４３】
図５に示すように、端子位置特定装置１０Ｂは、ベース部２０Ｂと、アーム部３０Ｂと、複数の端子８１５のうち１以上の特定の端子８１５ｂを隠す可動部４０Ｂとを備える。
【００４４】
ベース部２０Ｂは、基板８１０の周囲の近傍にある中間配線盤のフレーム７１０ａに取り外し可能に組み付けられる一対のベース位置決め部２１Ｂ、２１Ｂを有する。一対のベース位置決め部２１Ｂ、２１Ｂは、水平方向Ｘに伸びる直方体状に形成され、基板８１０の両側に配置されている。したがって、端子位置特定装置１０Ｂにおいて、垂直方向Ｙ及び水平方向Ｘは、それぞれ、第１方向及び第２方向に相当する。
【００４５】
ベース位置決め部２１Ｂのフレーム７１０ａの側における両端には、フレーム７１０ａにくっつくことができる一対の永久磁石２７を有する。また、ベース位置決め部２１Ｂのフレーム７１０ａの側における一対の永久磁石２７の間には、多芯ケーブル７２１を配置させる凹部２８が形成されている。したがって、ベース部２０Ｂは、多芯ケーブル７２１を跨ぐように、フレーム７１０ａに取り付けられる。
【００４６】
ベース部２０Ｂは、端子８１５の上方を移動可能にアーム部３０Ｂを支持する支持部２２Ｂを有する。支持部２２Ｂには、アーム部３０Ｂの一端が差し込まれるスリット２４Ｂが形成されている。アーム部３０Ｂは、アーム部３０Ｂと端子８１５の先端との間に僅かな隙間を形成しながらアーム部３０Ｂが水平方向Ｘに平行移動するように、スリット２４Ｂに差し込まれている。
【００４７】
ベース部２０Ｂの表面２０ａには、水平方向Ｘに隣接する２つの端子８１５の間の距離Ｌと等しい間隔で、数字ラベルの記号２５が付されている。
【００４８】
アーム部３０Ｂの側面３０ａには、端子間の距離Ｍと同じ間隔でアルファベットラベルの記号３１が付されている。アーム部３０Ｂの端子８１５が配置されている側の側面には、ゴムのような絶縁体が付されている。アーム部３０Ｂは磁石のような磁性体が吸着できる金属で形成されていることが好ましい。
【００４９】
アーム部３０Ｂは、マトリックスの一辺に平行の垂直方向Ｙに伸びる。端子位置特定装置１０Ｂは、さらに、アーム部３０Ｂに案内され、かつ、複数の端子８１５のうち１以上の特定の端子８１５ｂを隠す可動部４０Ｂを備える。
【００５０】
可動部４０Ｂは、３つの可動片４１Ｂ、４２Ｂ、４３Ｂを含む。アーム部３０Ｂは、可動片４１Ｂ、４２Ｂ、４３Ｂが垂直方向Ｙに摺動することを許容する溝Ａ、Ｂ、Ｃを有する。溝Ａ、Ｂ、Ｃは、端子８１５が伸びる方向Ｚに整列するように、互いに垂直方向Ｙに平行に伸びている。なお、溝Ａ、Ｂ、Ｃは、アーム部３０Ｂの左側に形成されているが、右側に形成してもよい。
【００５１】
可動片４１Ｂ、４２Ｂ、４３Ｂは、矩形の板状部材である。可動片４１Ｂ、４２Ｂ、４３Ｂの垂直方向Ｙの長さは、隣接する端子間の距離Ｍの整数倍の長さと同じ長さを有する。可動片４１Ｂ、４２Ｂ、４３Ｂは、いずれも、公知の伸縮機構を備えるようにしてもよい。この場合、可動片４１Ｂ、４２Ｂ、４３Ｂひいては可動部４０Ｂは伸縮式可動部として機能する。
【００５２】
図６に示すように、端子位置特定装置１０Ｃは、図１に示すアーム部３０の替わりにアーム部３０Ｃを備えている。また、端子位置特定装置１０Ｃは、端子位置特定装置１０の可動部４０の替わりに、蛇腹状の伸縮部を有する可動部６０を有する。
【００５３】
アーム部３０Ｃは、それぞれが各記号３１に対応するように、各記号３１の下側に複数の係止受部５２を有している。係止受部５２は、例えば、アーム部３０Ｃに形成された貫通穴とされる。アーム部３０Ｃは、水平方向Ｘに隣接する２つの端子８１５の間とほぼ等しい間隔を置いて形成された複数の係止受部５２を有する。ここで、端子位置特定装置１０Ｃにおいて、水平方向Ｘ及び垂直方向Ｙは、それぞれ、第１方向及び第２方向に相当する。
【００５４】
可動部６０は、丈の長い可動片６０ａと丈の短い可動片６０ｂとを有する。可動片６０ａ及び可動片６０ｂは、係止受部５２の少なくともいずれかに取り付け可能な係止部６２を有する。係止部６２としては、例えば、フックとされる。また、可動部６０の下側には、これの下側に可動部６０と同様の可動部６０’を取り付けることができるように、係止受部５２と同様の貫通穴６４が形成されている。
【００５５】
また、可動部６０’の上側に、可動部６０に係止する係止部６３を設けてもよい。これにより、可動部６０の下側に、さらに、可動部６０と同様の可動部６０’を配置させることができる。
【００５６】
以上の端子位置特定装置１０Ｃは以下のように用いられる。
【００５７】
検査員は、可動部６０及び可動部６０’が所定の端子８１５を覆うように、また、所定の端子８１５が露出するように、係止部６２を係止受部５２に取り付ける。これにより、可動部６０及び可動部６０’は、アーム部３０Ｃに吊された状態になる。
【００５８】
可動片６０ａと可動片６０ｂとは、互いに丈の長さが異なるので、丈の短い可動片６０ａの下側に位置する範囲７０にある端子８１５ａが露出しているが、その端子８１５の周囲に位置する端子８１５は可動部６０及び可動部６０’によって覆われている。これにより、検査員は、検査対象の端子８１５ａのみを検査することができる。
【００５９】
図７に示すように、端子位置特定装置１０Ｄは、図５に示すアーム部３０Ｂの替わりにアーム部３０Ｄを備えている。また、端子位置特定装置１０Ｄは、端子位置特定装置１０の可動部４０Ｂの替わりに、蛇腹状の伸縮部を有する可動部６０Ｄを有する。
【００６０】
アーム部３０Ｄは、それぞれが各記号２５に対応するように、各記号２５の左右に複数の係止受部５２Ｄを有している。係止受部５２Ｄは、例えば、アーム部３０Ｃの両側面を貫通する貫通穴とされる。アーム部３０Ｄは、垂直方向Ｙに隣接する２つの端子８１５の間とほぼ等しい間隔を置いて形成された複数の係止受部５２Ｄを有する。ここで、端子位置特定装置１０Ｄにおいて、垂直方向Ｙ及び水平方向Ｘは、それぞれ、第１方向及び第２方向に相当する。
【００６１】
可動部６０Ｄは、蛇腹部分の長さがそれぞれ異なる可動片６１Ｄ、可動片６２Ｄ及び可動片６３Ｄを有する。可動片６１Ｄ，６２Ｄ及び６３Ｄは、これらの両端に、係止受部５２Ｄの少なくともいずれかに取り付け可能な係止部６４Ｄを有する。係止部６４Ｄとしては、例えば、可動片６１Ｄ，６２Ｄ及び６３Ｄの両端に形成された棒とされる。
【００６２】
これにより、係止部６４Ｄを差し込む係止受部５２Ｄを選定することにより、可動片６１Ｄ，６２Ｄ及び６３Ｄが覆う端子８１５ｂを自由に変更することができる。また、可動片６１Ｄ，６２Ｄ及び６３Ｄは、アーム部３０Ｄの左側に取り付けられているが、アーム部３０Ｄの右側に取り付けてもよいし、両側に取り付けてもよい。
【００６３】
本発明は上記実施の形態に限定されるものではなく、本明細書に添付した特許請求の範囲内での種々の設計変更及び修正を加え得た範囲も当然に含まれる。
【図面の簡単な説明】
【００６４】
【図１】本発明に係る端子位置特定装置を示す外観斜視図である。
【図２】図１に示す端子位置特定装置の側面図である。
【図３】図１に示す端子位置特定装置のアーム部の詳細図である。
【図４】図１に示す端子位置特定装置のベース部の変形例を示す側面図である。
【図５】本発明に係る別の端子位置特定装置を示す外観斜視図である。
【図６】本発明に係るさらに別の端子位置特定装置を示す外観斜視図である。
【図７】本発明に係るさらに別の端子位置特定装置を示す外観斜視図である。
【図８】従来の中間配線盤を示す概略図である。
【図９】図８に示す中間配線盤に用いられる基板の正面図である。
【符号の説明】
【００６５】
Ａ、Ｂ、Ｃ  溝
Ｌ、Ｍ  端子間距離
Ｘ  水平方向
Ｙ  垂直方向
１０、１０Ａ、１０Ｂ、１０Ｃ、１０Ｄ  端子位置特定装置
２０、２０Ａ、２０Ｂ  ベース部
２１、２１Ｂ  ベース位置決め部
２２、２２Ｂ  支持部
２３  永久磁石
２４、２４Ｂ  スリット
２５  アルファベットラベルの記号
２７  永久磁石
２８  凹部
３０、３０Ｂ、３０Ｃ、３０Ｄ  アーム部
３１  数字ラベルの記号
３７  絶縁体
４０、４０Ｂ、６０、６０Ｄ  可動部
４１、４２、４３、４１Ｂ、４２Ｂ、４３Ｂ、６０ａ、６０ｂ、６１Ｄ、６２Ｄ、６３Ｄ  可動片
５２、５２Ｄ  係止受部
６２、６３、６４Ｄ  係止部
６４  貫通穴
８００  接続用端子板
８１０  基板
８１５  端子
８１５ａ  測定対象の端子
８１５ｂ  覆い隠す端子
【図１】
2008028457.tif 000003
【図２】
2008028457.tif 000004
【図３】
2008028457.tif 000005
【図４】
2008028457.tif 000006
【図５】
2008028457.tif 000007
【図６】
2008028457.tif 000008
【図７】
2008028457.tif 000009
【図８】
2008028457.tif 000010
【図９】
2008028457.tif 000011